(57)【要約】【課題】下駄箱やゴミ箱等の臭気を伴う密閉空間を永続的に脱臭するための装置および脱臭ユニットの提供。【解決手段】反射板１に対向して光源２及び光触媒エレメント３を順に前方に配置して脱臭ユニット４を構成し、その脱臭ユニット４を密閉空間14ａ内を空気が循環する空気循環路６中に配置する。そして光源２からの光を反射板１で反射して光触媒エレメント３に照射し、空気中の匂い物質をその光触媒エレメント３によって分解する。【選択図】        図１
2004201994.tif 000002
【特許請求の範囲】
【請求項１】
反射板(1) に対向して光源(2) および光触媒エレメント(3) が順に前方へ配置されて脱臭ユニット(4) が形成され、
密閉空間(14a) 内を空気が循環する空気循環路中(6) に、前記脱臭ユニット(4) が配置され、
光源(2) からの光を反射板(1) で反射して光触媒エレメント(3) に照射し、その光触媒エレメント(3) を通過する気体中の匂い物質が、その光エネルギーを介して光触媒により分解される密閉空間の脱臭装置。
【請求項２】
請求項１において、
太陽光を光ファイバーケ−ブル(7) を介して前記脱臭ユニット(4) に導いて、その端部に光を放出する光源(2) を構成し、その光源(2) が凹面鏡(1a)からなる反射板(1) に対向された密閉空間の脱臭装置。
【請求項３】
請求項１において、
前記光源(2) が紫外線ランプ(2a)またはブラックライトからなり、前記光触媒エレメント(3) に並列して脱臭用活性炭を有する活性炭ユニット(8) が並列された密閉空間の脱臭装置。
【請求項４】
一方側に空気の取り入れ口(18)が設けられ、他方側に空気流出口(19)が設けられたケーシングと、
そのケーシング内に、反射板(1) と、それに対向する光源(2) と、光触媒エレメント(3) とが順に前方へ配置され且つ、ファン(5) が内装され、
光源(2) からの光を反射板(1) で反射して光触媒エレメント(3) に照射し、前記ファン(5) により空気流が形成され、光触媒エレメント(3) を通過する空気流中の匂い物質が、その光エネルギーを介して光触媒により分解されるように構成した脱臭ユニット。
【請求項５】
請求項４において、
前記光触媒エレメント(3) に並列して脱臭用活性炭を有する活性炭ユニット(8) が設けられた脱臭ユニット。
【発明の詳細な説明】
【０００１】
【発明の属する技術分野】
本発明は、下駄箱やゴミ箱等の臭気を伴う密閉空間の脱臭のための装置および脱臭ユニットに関する。
【０００２】
【従来の技術】
下駄箱やゴミ箱等の臭気を脱臭するためには、市販されている脱臭剤または芳香剤をそれらの内部に配置し、それによって臭気をある程度抑えることができる。
【０００３】
【発明が解決しようとする課題】
通常の脱臭剤等による密閉空間の臭気の脱臭は、時々その脱臭剤を取り替える必要がある。即ち、脱臭剤の脱臭効果は長くても数カ月程度であるため、度々それを交換する必要があり煩わしいものであった。
そこで本発明は、取扱い易く永続的に脱臭できる寿命の長い脱臭装置および脱臭ユニットを提供することを課題とする。
【０００４】
【課題を解決するための手段】
請求項１に記載の本発明は、反射板(1) に対向して光源(2) および光触媒エレメント(3) が順に前方へ配置されて脱臭ユニット(4) が形成され、
密閉空間(14)内を空気が循環する空気循環路中(6) に、前記脱臭ユニット(4) が配置され、
光源(2) からの光を反射板(1) で反射して光触媒エレメント(3) に照射し、その光触媒エレメント(3) を通過する気体中の匂い物質が、その光エネルギーを介して光触媒により分解される密閉空間の脱臭装置である。
【０００５】
請求項２に記載の本発明は、請求項１において、
太陽光を光ファイバーケ−ブル(7) を介して前記脱臭ユニット(4) に導いて、その端部に光を放出する光源(2) を構成し、その光源(2) が凹面鏡(1a)からなる反射板(1) に対向された密閉空間の脱臭装置である。
【０００６】
請求項３に記載の本発明は、請求項１において、
前記光源(2) が紫外線ランプ(2a)またはブラックライトからなり、前記光触媒エレメント(3) に並列して脱臭用活性炭を有する活性炭ユニット(8) が並列された密閉空間の脱臭装置である。
【０００７】
請求項４に記載の本発明は、一方側に空気の取り入れ口(18)が設けられ、他方側に空気流出口(19)が設けられたケーシングと、
そのケーシングに、反射板(1) と、それに対向して光源(2) と、光触媒エレメント(3) とが順に前方へ配置され且つ、ファン(5) が内装され、
光源(2) からの光を反射板(1) で反射して光触媒エレメント(3) に照射し、前記ファン(5) により空気流が形成され、光触媒エレメント(3) を通過する空気流中の匂い物質が、その光エネルギーを介して光触媒により分解されるように構成した脱臭ユニットである。
【０００８】
請求項５に記載の本発明は、請求項４において、
前記光触媒エレメント(3) に並列して脱臭用活性炭を有する活性炭ユニット(8) が設けられた脱臭ユニットである。
【０００９】
【発明の実施の形態】
次に、図面に基づいて本発明の実施の形態を説明する。
図１は本発明の脱臭装置の要部説明図であり、図２はそれに用いられる光触媒エレメント３の略図、図３は本装置を下駄箱14に利用した説明図である。
【００１０】
脱臭装置は、密閉空間14ａにファン５を介して内部を循環する空気循環路６が形成され、その空気循環路６中に脱臭ユニット４が配置されている。
この脱臭ユニット４は、反射板１と光源２と光触媒エレメント３とを有する場合と、それに加えてファン５を有する場合とがある。反射板１は凹面鏡１ａからなり、光源２は太陽光に向けられた光取り入れ口20を有する光ファイバーケーブル７が密閉空間内に導かれ、その端部から光を放出する放出端が凹面鏡１ａの中心に位置されている。そして凹面鏡１ａにより反射された光が光触媒エレメント３を通過する。
【００１１】
光触媒エレメント３は、図２に示す如く一例としてハニカム構造からなり、そのハニカム内面に二酸化チタン等からなる光触媒が保持されている。この光触媒は、光エネルギーを介し空気中の匂い物質を分解するものである。
これらの脱臭ユニット４はケーシング12に内装され、そのケーシング12が下駄箱14の適宜な壁面に固定されている。
なお、ファン５はファンモータ11の回転軸に連結され、そのファンモータ11には電源回路９が接続されている。
【００１２】
ケーシング12が取付けられる壁面には、複数の空気流通口10が穿設されている。そして電源回路９をＯＮすることにより、ファン５を回転駆動させる。すると、下駄箱14内の臭気を含んだ空気が壁面の空気流通口10からケーシング12を通過し、再び密閉空間14ａに戻される。このとき光源２からの光によって、光触媒エレメント３の光触媒の作用により空気中の匂い物質が分解される。
【００１３】
次に、図３はこの脱臭装置を下駄箱14に利用した一例を示す説明図である。下駄箱14の内部には垂直な仕切壁15と、それに取付けられた複数段の棚板16とが設けられている。仕切壁15および棚板16には夫々空気流通口10が形成され、前記図１のファン５を介して下駄箱14内を循環する空気循環路６が形成される。即ち、図３において各棚板16上を流通する空気は、仕切壁15の空気流通口10からケーシング12内に入り、内部の脱臭ユニット４を通過する間に脱臭されて再び各棚板16上に還流する。これを永続的に繰り返すことにより、下駄箱14内の臭気を常に脱臭することができるものである。
【００１４】
次に、図４は密閉空間に配置される活性炭ユニット８を含む脱臭ユニット４の他の実施の形態を示す。
この例は、光源２が細長い紫外線ランプ２ａからなり、その外周を半円状に反射板１が被蔽する。そして紫外線ランプ２ａに対向し、光触媒エレメント３と脱臭ユニット４とファン５とが順次配置されている。これらの各要素は、全て適宜なケーシング17に内装されて一体化した脱臭ユニット４を構成する。
【００１５】
この例の光触媒エレメント３はその外周が方形に形成され、内部にコルゲート型のフィンおよび平板が多数並列され、それらの表面に光触媒物質が塗布されている。また、活性炭ユニット８はケースの内部に多数の活性炭が収納されたものである。そして密閉空間の空気は、ケーシング17の一方の空気取り入れ口18から流入し、光触媒エレメント３および活性炭ユニット８を通過し、空気流出口19から密閉空間内に還流する。
【００１６】
【発明の作用・効果】
本発明の密閉空間の脱臭装置は、その密閉空間14を循環する空気循環路６中に脱臭ユニット４が配置され、光源２からの光を反射板１で効率良く反射して光触媒エレメント３に照射し、気体中の匂い物質を光触媒により分解するものである。  そのため取扱い易く永続的に密閉空間の脱臭を行うことができる。即ち、特にメンテナンスのし難い密閉空間の脱臭が容易となり且つ、長寿命である。
【００１７】
上記構成において、野外の太陽光を光ファイバーケーブル７を介して脱臭ユニット４に導き、その端部に光を放出する光源２を構成し、その光源２を凹面鏡１ａからなる反射板１に対向することができる。この場合には、太陽光を利用して密閉空間内を脱臭することができ、より経済的な脱臭装置となる。
【００１８】
上記構成において、光源２を紫外線ランプ２ａまたはブラックライトとし、光触媒エレメント３に並列して活性炭ユニット８を設けることができる。それにより、効率良く且つ脱臭効果の高い装置を提供できる。
【図面の簡単な説明】
【図１】本発明の脱臭ユニットを有する脱臭装置の要部縦断面説明図。
【図２】同ユニット用いられる光触媒エレメント３の正面図。
【図３】同脱臭ユニットを用いた密閉空間の脱臭装置を下駄箱14に適用した説明図。
【図４】本発明の脱臭ユニットの他の例を示す説明図。
【図５】同脱臭ユニットに用いられる光触媒エレメント３の斜視図。
【図６】同ユニットに用いられる活性炭ユニット８の斜視説明図。
【符号の説明】
１  反射板
１ａ  凹面鏡
２  光源
２ａ  紫外線ランプ
３  光触媒エレメント
４  脱臭ユニット
５  ファン
６  空気循環路
７  光ファイバーケーブル
８  活性炭ユニット
９  電源回路
10  空気流通口
11  ファンモータ
12  ケーシング
13  コネクタ
14  下駄箱
14ａ  密閉空間
15  仕切壁
16  棚板
17  ケーシング
18  空気取り入れ口
19  空気流出口
20  光取り入れ口
【図１】
2004201994.tif 000003
【図２】
2004201994.tif 000004
【図３】
2004201994.tif 000005
【図４】
2004201994.tif 000006
【図５】
2004201994.tif 000007
【図６】
2004201994.tif 000008